(57)【要約】【課題】居住者に圧迫感を与えることなくキャビネットを設置して各戸における荷物の収容能力を向上し得る集合住宅の収納構造を提供する。【解決手段】床スラブ１５と天井スラブ１６との間に内装骨組材からなる第１の支持枠１７を立設し、第１の支持枠１７に壁パネル１８を取り付けて間仕切り部１２とし、間仕切り部１２に隣接した空間を通路１０とし、通路となる空間の天井スラブ１６の直下にキャビネット１１を配設するようにした集合住宅の収納構造であって、通路となる空間の上部を横断するように、内装骨組材からなる第２の支持枠２１が第１の支持枠１７に支持されて水平に配設され、第２の支持枠２１と天井スラブ１６との間にキャビネット１１が配置されて第２の支持枠２１に支持され、キャビネット１１及び第２の支持枠２１を下面から覆うように天井パネル１４ａが取り付けられる。【選択図】図１
0003235362.tif 000002
【実用新案登録請求の範囲】
【請求項１】
床スラブと天井スラブとの間に内装骨組材からなる第１の支持枠を立設し、該第１の支持枠に壁パネルを取り付けて間仕切り部とし、該間仕切り部に隣接した空間を通路とし、該通路となる空間の天井スラブの直下にキャビネットを配設するようにした集合住宅の収納構造であって、
前記通路となる空間の上部を横断するように、内装骨組材からなる第２の支持枠が前記第１の支持枠に支持されて水平に配設され、該第２の支持枠と前記天井スラブとの間に前記キャビネットが配置されて前記第２の支持枠に支持され、前記キャビネット及び前記第２の支持枠を下面から覆うようにパネルが取り付けられることを特徴とする、集合住宅の収納構造。
【請求項２】
前記第１の支持枠が、前記通路となる空間の幅で左右両側に立設され、前記第２の支持枠が該左右の第１の支持枠間に架け渡される、請求項１に記載の集合住宅の収納構造。
【請求項３】
前記キャビネットは開口部を設けた前部を有し、該前部の下面が前記第２の支持枠に支持されて前記パネルにより覆われる、請求項１又は２に記載の集合住宅の収納構造。
【請求項４】
前記キャビネットは前記開口部を覆う開閉扉を有し、前記開口部とともに前記第２の支持枠の側面が該開閉扉により覆われる、請求項３に記載の集合住宅の収納構造。
【請求項５】
前記第２の支持枠に建具のドア枠が支持される、請求項１乃至４の何れかに記載の集合住宅の収納構造。
【請求項６】
前記キャビネット及び前記第２の支持枠の下面を覆うパネルが、天井パネルと同一のパネルとされる、請求項１乃至５の何れかに記載の集合住宅の収納構造。
【考案の詳細な説明】
【技術分野】
【０００１】
本考案は、集合住宅において各戸の通路にキャビネットを設置した収納構造に関する。
【背景技術】
【０００２】
集合住宅では、各戸において荷物などの収容スペースを確保し、その収容能力を向上するための工夫が種々提案されている。例えば特許文献１には、床スラブにより複数の階層に区画して画成された集合住宅において、各床スラブの一部を下方へ膨出させて、各床スラブに凹状の多目的空間形成部を形成した集合住宅の床下構造が提案されている。一方、特許文献２には、上下階共有のスラブを有し複数層に配置された集合住宅において、スラブの一部を上階側に膨出させて、膨出部の下側に下階側住戸の天井裏収納部を設けるとともに、膨出部の上側に上階側住戸のロフト部を設けた集合住宅が提案されている。
【先行技術文献】
【特許文献】
【０００３】
【特許文献１】特開２００２−２８５７１７号公報
【特許文献２】特開２００７−２３９３２７号公報
【考案の概要】
【考案が解決しようとする課題】
【０００４】
しかしながら、従来の集合住宅における収容能力を向上する構造では、各階の間を仕切るスラブを上下方向に大きく突出させたり凹ませたりして構築しなければならず、手間と施工費用を要するものであった。また各階のスラブを他の部位に比べて上下方向に大きく変形させて構築するため、構築部分では天井高を低くしなければならず、居住者が長時間滞在する居住空間にあっては圧迫感を感じていた。
【０００５】
そこで本考案では、長期間にわたって居住する居住者に圧迫感を与えることなく、住居内での生活や移動に邪魔にならないような空間にキャビネットを設置して、各戸の収容能力を向上した集合住宅の収納構造を提供することを目的としている。
【課題を解決するための手段】
【０００６】
上記目的を達成するため、本考案は、床スラブと天井スラブとの間に内装骨組材からなる第１の支持枠を立設し、第１の支持枠に壁パネルを取り付けて間仕切り部とし、間仕切り部に隣接した空間を通路とし、通路となる空間の天井スラブの直下にキャビネットを配設するようにした集合住宅の収納構造において、この通路となる空間の上部を横断するように、内装骨組材からなる第２の支持枠を第１の支持枠に支持して水平に配設し、この第２の支持枠と天井スラブとの間の上部空間にキャビネットを配置して第２の支持枠に支持すると共に、キャビネット及び第２の支持枠を下面からパネルで覆うことで、天井と一体化した作り付けの収納構造を構築するものである。
【０００７】
前記第１の支持枠に隣接した通路となるべき空間を空けて、さらに第１の支持枠を立設し、これら左右の第１の支持枠間に天井スラブから所定の間隔を隔てた上部位置で第２の支持枠を水平に架け渡すようにしてもよい。この場合、キャビネットは、天井スラブと左右の第１の支持枠とこの間に懸架された第２の支持枠とで囲まれた空間内で第２の支持枠上に載置されて設置されることになる。設置したキャビネットの下面は、第２の支持枠の下面と共に天井パネルにより覆われ、天井の一部として一体化する。
キャビネットは、開口部を設けた前部を有し、前部の下面が第２の支持枠に支持されて天井パネルにより覆われている。この開口部は開閉扉を有し、開閉扉により開口部とともに第２の支持枠の側面を覆うようにしてもよい。また、本考案の集合住宅の収納構造では、第２の支持枠に建具のドア枠が支持されていてもよい。
【考案の効果】
【０００８】
本考案の集合住宅の収納構造によれば、通路の上部において、天井スラブ直下にキャビネットが取り付けられ、このキャビネットの下方を覆ってパネルが配設される。従って、居住者が移動時に通過する通路上部のデッドスペースを活用してキャビネットを設置でき、通路の上方にキャビネットを設置することで、居住者が長時間過ごす居室空間が圧迫されることがない。またキャビネットの下側を天井パネルで覆うと、天井パネルと同化されてキャビネットの存在が際立って視認され難く、キャビネットを通路に設置していても違和感を与えず、通路全体の良好な外観品質を確保できる。
【０００９】
しかも床スラブと天井スラブとの間に立設した第１の支持枠に対して第２の支持枠を横断方向に水平に固定し、この第２の支持枠でキャビネットの底部を支持しているため、躯体に固定して構成されることになり、キャビネットの支持構造が高強度に維持され、通路の上部に設置されるキャビネットの十分な耐荷重性能が確保される。従って、集合住宅の各戸における限られた空間内で生活する居住者に圧迫感を与えることなく、キャビネットの収容能力を向上することが可能である。
【００１０】
本考案の集合住宅の収納構造において、キャビネットを支持する第２の支持枠が、通路の両側に立設された第１の支持枠間に架け渡されていれば、キャビネットの支持構造の強度を一層向上でき、通路の上部に設置されたキャビネットの耐荷重性能が一層向上する。
【００１１】
キャビネットの前部に開口部を設け、この前部の下面が第２の支持枠に支持されて天井パネルで覆われていれば、キャビネットの前部を安定して強固に支持できるとともに、キャビネットの前部の開口部のみを通路に露出させて設置でき、通路の天井の外観品質を確保し易い。
【００１２】
キャビネットが上記開口部を覆う開閉扉を有し、この開閉扉の表面を天井パネルと統一したデザインとすれば天井の一部として認識されるため、キャビネットが迷彩され、一層圧迫感が低減してキャビネットを設置した通路の天井の外観品質をより向上できる。
【００１３】
本考案の集合住宅の収納構造において、第２の支持枠に建具のドア枠が支持されていれば、通路の上部にキャビネットが設置されていても、設置領域の天井をドア枠と同等の高さに設けることができ、キャビネットの設置領域における通路の天井高を確保することができる。
【図面の簡単な説明】
【００１４】
【図１】本考案の第１実施形態に係る集合住宅の収納構造において、キャビネットを配置した通路の一部を示し、（ａ）はキャビネットの正面側から見た正面図、（ｂ）は（ａ）のＢ−Ｂ断面図、（ｃ）は（ａ）のＣ−Ｃ断面図である。
【図２】第１実施形態に示すキャビネットの、（ａ）概略斜視図、（ｂ）キャビネットの開閉扉の手掛け部分を示す部分拡大断面図である。
【図３】第２実施形態に係る集合住宅の収納構造において、キャビネットを配置した通路の一部を示し、（ａ）はキャビネットの正面側から見た正面図、（ｂ）は（ａ）のＢ−Ｂ断面図、（ｃ）は（ａ）のＣ−Ｃ断面図である。
【図４】第２実施形態に係る集合住宅の収納構造において、キャビネットの開閉扉の手掛け部分を示す部分拡大断面図である。
【考案を実施するための形態】
【００１５】
以下、本考案について詳細に説明するが、以下の実施形態は本考案を説明するための一例に過ぎず、本考案の保護範囲を限定するためのものではないことに留意されるべきである。
［第１実施形態］
以下、本考案の第１実施形態について図１及び図２を用いて詳細に説明する。
図１（ａ）〜図１（ｃ）は第１施形態の集合住宅における各戸の通路の一部を示している。この実施形態の収納構造では各住居とも類似のレイアウトとし、玄関から居室まで延びる通路１０の一部に、天井と一体化したキャビネット１１が備えられた構造である。
【００１６】
通路１０は居住者が玄関から居室やキッチンなどへ移動する際に一時的に通過する領域であり、間仕切り部１２により区画されて床１３と天井１４との間の空間として形成される。図1では、左右の間仕切り部１２，１２の間に画成される空間が通路として構成される。第１実施形態では間仕切り部１２は、通路１０の左右両側に通路１０に沿って設けられ、床スラブ１５と天井スラブ１６との間に躯体に固定して立設された内装骨組材からなる第１の支持枠１７に、内装材としての複数の壁パネル１８を取り付けることで形成される。ここで内装骨組材とは、壁パネルや扉など種々の内装部材を設置するために躯体に直接固定し骨組を構築するための材料であり、例えば軽量鉄骨材や木材などが用いられる。
【００１７】
例えば左側の第１の支持枠１７は、床スラブ１５と天井スラブ１６との間で通路のほぼ全長に渡って奥行き方向に立設された複数の第１の縦材１７ａと、これらの隣り合う縦材間に架け渡した複数の第１の横材１７ｂと、で構成され、本実施形態では、縦材１７ａと横材１７ｂで構成した第１の支持枠１７が図において右側にも構成され、その間の空間を通路としている。そして、壁パネル１８は、左右の第１の支持枠１７の通路１０側の全面を覆うように床１３と天井１４との間で複数枚連続して配置され、それぞれ第１の支持枠１７に固定されている。
【００１８】
通路１０となるべき床スラブ１５には、フロアパネル１３ａが図示しない支持部材により支持されて配置されることで、床１３を構成する。また、上面の天井スラブ１６には、キャビネット１１が設置されない領域では、天井パネル１４ａが天井スラブ１６の下面に直接固定されて天井１４を構成する。キャビネット１１が設置される領域では、キャビネット１１の上面が天井スラブ１６の直下に配設されることになるので、天井パネル１４ａを張る必要がない。
【００１９】
第２の支持枠２１は複数本の横材２１ａで構成され、該複数の横材２１ａを天井スラブ１５から所定間隔をあけた下方の位置で、通路１０を左右に横断するように水平に、左右両側の第１の支持枠１７に架け渡されて支持される。第２の支持枠２１を構成する横材２１ａも第１の支持枠と同様、内装骨組材から構成される。上記の所定間隔とはキャビネットの高さに対応するかこれより若干大きい間隔であり、キャビネット１１は通路となる空間の天井スラブ１５の直下に、第２の支持枠２１との間に設置される。従って、キャビネット１１は、両側面が左右の第１の支持枠１７に挟まれ、上下両面が天井スラブ１５と第２の支持枠２１との間で、この第２の支持枠２１に載置された状態で配置されることになる。
第２の支持枠２１上に配設されたキャビネット１１は、該キャビネット下面が第２の支持枠２１と共に天井パネル１４ａで覆われて、天井パネルの一部を構成することで、天井と一体化した作り付けの収納部が構築されるものである。
【００２０】
本実施形態では、第２の支持枠２１の下方に建具が配置され、第１の支持枠１７及び第２の支持枠２１により建具のドア枠２２が支持固定されている。
【００２１】
キャビネット１１は、図２に示すように、概略直方体形状を有して前部に開口部２４ａが設けられたキャビネット本体２４と、キャビネット本体２４の開口部２４ａを覆う開閉扉２５と、を有している。キャビネット本体２４は、左右方向の横幅に比べて上下方向の高さが小さい扁平形状を有する。横幅は通路１０の幅以下、好ましくは開閉扉２５が全開可能な範囲で通路１０の幅と同等に形成される。上下方向の高さは第２の支持枠２１と天井スラブ１６との間の高さ以下、好ましくはキャビネット１１の天板と天井スラブ１６との間に各種の配管や配線等を配置可能な間隙を設けて形成される。キャビネット本体２４は、開口部２４ａを通路１０の居室側に向けて第２の支持枠２１に支持された状態で、第２の支持枠２１と天井スラブ１６との間に配置されている。
キャビネット本体１１を支持枠１７，２１に固定するには、例えば固定用のビスをキャビネット本体２４の内面側から、第１の支持枠１７及び第２の支持枠２１を構成する内装骨組材まで貫通させて固定してもよい。その場合、キャビネット本体２４の内面側に係止したビスの頭部をキャップやカバー等により覆うことで、キャビネット本体２４の内側の外観が向上する。
【００２２】
通路の上部に設置すべきキャビネット１１は、後付けでも取り付け可能ではあるが、本考案の一実施形態では、集合住宅の居室の建築工事において、天井パネル及び壁パネルの取付けに先立って、躯体の一部に固定するように設計される。
【００２３】
キャビネット本体２４の開口部２４ａは前部に設けられる。開口部２４ａを覆う開閉扉２５は、開口部２４ａを開閉可能にヒンジ部２５ａにより左右一対装着される。本実施形態では、一対の開閉扉２５が開口部２４ａ以上の大きさに形成され、第２の支持枠２１の各横材２１ａと天井スラブ１６との間の間隙全体を覆うようにしている。開閉扉２５の下端には互いに隣接する側縁の縦方向の全長に凹状の手掛け２５ｂが形成されている。
【００２４】
キャビネット１１が第２の支持枠２１に支持された状態では、キャビネット本体２４の開口部２４ａを設けた前部の下面が第２の支持枠２１の横材２１ａに支持されている。また第２の支持枠２１の下面には、天井パネル１４ａでキャビネット１１及び第２の支持枠２１の下方を覆って、第２の支持枠２１に貼り付け或いはビス止めなどで固定されている。
【００２５】
上記実施形態の集合住宅の収納構造によれば、キャビネット１１を躯体の一部に固定して天井パネルを取り付ける前に通路上部に予め設置することで、各戸の収容能力を向上することができる。この構造では、通路１０の上部を横断して配置した第２の支持枠２１を第１の支持枠１７に支持し、第２の支持枠２１と天井スラブ１６との間にキャビネット１１を設置し、キャビネットを設置した後でキャビネット１１及び第２の支持枠２１の下方を覆うように天井パネル１４ａを取り付けている。そのため、居住者が移動時に通過する通路１０の上部のデッドスペースを活用して、予め居室工事においてキャビネット１１を設置でき、キャビネット１１を設置することで居住者の居室空間が圧迫されない。
【００２６】
またキャビネット１１の下面及び第２の支持枠２１の下方側が天井パネル１４ａで覆われるためキャビネット１１の下面や第２の支持枠２１がそのまま視認されることがなく、キャビネット１１を通路１０に設置しても天井パネルと連続したデザインとなって迷彩されるので、違和感を与え難く通路全体の良好な外観品質を確保できる。
【００２７】
しかも、床スラブ１５及び天井スラブ１６に立設した第１の支持枠１７に第２の支持枠２１を横断方向に掛け渡し、この第２の支持枠２１上にキャビネット１１が支持されるため、キャビネット１１を躯体に固定された内装骨組材製の第１及び第２の支持枠の間で支持できることから、通路１０の上部に設置されるキャビネット１１の十分な耐荷重性能が確保される。従って、集合住宅の各戸における限られた空間内に居住する者に圧迫感を与えることなくキャビネット１１を設置して各戸の収容能力を向上することが可能である。
なお、キャビネット及び第２の支持部材２１の下面全面を天井パネルと同一のパネルで覆った例を示したが、これとは異なるデザインを施したパネルを敷設することも勿論可能である。この場合は、通路上部に設置されたキャビネットが際立ち、異なるデザイン的趣向を呈することができる。
【００２８】
本実施形態の集合住宅の収納構造では、第２の支持枠２１が通路１０の両側に立設された第１の支持枠１７間に架け渡されているので、キャビネット１１を十分な強度の支持構造により支持でき、通路１０の上部に設置されたキャビネット１１の十分な耐荷重性能を確保でき、重量物であっても安定して収容することができる。
【００２９】
上記実施形態では、キャビネット１１の前部に開口部２４ａが設けられ、この前部の下面が第２の支持枠２１に支持されて天井パネル１４ａにより覆われているので、キャビネット１１の前部を安定して支持することができるとともに、開口部２４ａを設けた前部のみを通路１０に露出させて設置でき、通路１０の天井１４の外観品質を確保し易い。
【００３０】
本実施形態の集合住宅の収納構造では、第２の支持枠２１に建具のドア枠２２が支持されているので、通路１０の上部にキャビネット１１が設置されていても、設置領域の天井１４をドア枠２２と同等の高さに設けることができ、キャビネット１１の設置領域における通路１０の天井高が確保される。
【００３１】
［第２実施形態］
図３（ａ）〜図３（ｃ）は第２実施形態を示す。第２実施形態では、通路１０の一方の側面側、図面上左側に間仕切り部１２が設けられて通路１０が区画されている。ここでは通路１０の他方の側面側にはキッチンや納戸などの他の空間が通路から連続して設けられ、或いは建具等を介して設けられている。
【００３２】
そのため、通路１０の上部を横断するように配置された第２の支持枠２１は、一端側で間仕切り部１２の第１の支持枠１７に支持され、他端側では天井スラブ１６に固定された部分縦材１７ｃに吊り下げ状に支持されている。なお、この実施形態では第１実施形態のような建具のドア枠は設けられていない。
【００３３】
さらにキャビネット１１の開口部２４ａを覆う一対の開閉扉２５は、開口部２４ａの下端よりさらに下方に突出する長さに形成され、一対の開閉扉２５が開口部２４ａとともに開口部２４ａの下方に配置された第２の横材２１ａの側面を覆っている。また各開閉扉２５には下端縁の全長に凹状の手掛け２５ｂが設けられている。
その他は第１実施形態と同様である。
【００３４】
このような構造であっても、第１実施形態と同様の作用効果を奏することができる。
また第２実施形態の集合住宅の収納構造では、キャビネット１１が開口部２４ａを覆う開閉扉２５を有し、開閉扉２５により開口部２４ａとともに第２の支持体２１の横材２１ａの側面が覆われているので、天井パネル１４ａ及び開閉扉２５によりキャビネット１１及び第２の支持枠２１の全てを被覆することができ、キャビネット１１が設置された通路１０の天井１４の外観品質が一層向上する。
【００３５】
なお上記実施形態は、本考案の範囲内において適宜変更可能である。
例えば第１の実施形態では、第２の支持枠２１の少なくとも一方が第１の支持枠１７に支持されているが、他方は十分な強度を有する構造であれば特に限定されない。例えば第２の支持枠２１の一方が第１の支持枠１７に支持され、他方が各戸の側壁面を覆う壁パネル１８を支持するために側壁面に沿って構築された支持枠などであってもよい。また上記実施形態では、第２の支持枠２１が水平方向に配置された横材２２ｂのみからなる例について説明したが、上面にキャビネット１１を載置可能な構造であれば何ら限定されない。例えば第２の支持枠２１が水平方向に互いに交差するように配置されて連結された構造であってもよい。なお、キャビネットを玄関から居室に延びる通路１０において、開口部２４ａを居室側に向けて設置した例を説明したが、開口部２４ａを玄関側に向けて設置することも可能である。
【符号の説明】
【００３６】
１０  通路
１１  キャビネット
１２  間仕切り部
１３  床
１３ａ  フロアパネル
１４  天井
１４ａ  天井パネル
１５  床スラブ
１６  天井スラブ
１７  第１の支持枠
１７ａ  第１の縦材
１７ｂ  第１の横材
１７ｃ  部分縦材
１８  壁パネル
２１  第２の支持枠
２１ａ  第２の横材
２２  ドア枠
２４  キャビネット本体
２４ａ  開口部
２５  開閉扉
２５ａ  ヒンジ部
２５ｂ  手掛け
【図１】
0003235362.tif 000003
【図２】
0003235362.tif 000004
【図３】
0003235362.tif 000005
【図４】
0003235362.tif 000006